(57)【特許請求の範囲】
【請求項１】
実質的に紙材で形成され、方形状の台板の四方の各側縁に縁板を介して２枚の折込板および２枚の蓋板をそれぞれ対向して連設するとともに、前記各縁板の両端縁の２本の折曲げ罫線間にこれと交差するように縁板に剛性を付加する罫線を設け、前記２枚の蓋板を内側へ折り曲げたときに互いに係合可能な係止手段を設けてなり、前記２枚の折込板および２枚の蓋板をそれぞれ内側へ折り曲げて蓋板同志を係合し、中にフロッピーディスクを収納可能としたことを特徴とするフロッピーディスクケース。
【請求項２】
前記台板の各コーナーにおいて相対する両縁板の少なくとも一方の端部を突片状に形成したことを特徴とする請求項１記載のフロッピーディスクケース。
【請求項３】
一方の前記蓋板が台板より切り外し可能であることを特徴とする請求項１又は２記載のフロッピーディスクケース。
【請求項４】
前記台板に一方の前記蓋板の連設部分の折曲げ罫線と略平行な折曲げ罫線を設けるとともに該折曲げ罫線の両端部を台板のコーナーより破断可能に形成したことを特徴とする請求項１又は２記載のフロッピーディスクケース。
【発明の詳細な説明】
【０００１】
【産業上の利用分野】
本発明はフロッピーディスクケースに関し、詳しくは収納効率の良い紙材で出来たフロッピーディスクケースに関するものである。
【０００２】
【従来の技術】
従来のフロッピーディスクの収納ケースとしてはプラスチック製の透明なハードケースが一般的であった。
【０００３】
【発明が解決しようとする課題】
しかしながら、上記従来のハードケースはその厚みが、フロッピーディスク本体の厚み約 3.5ｍ／ｍに対して、約８ｍ／ｍと倍以上あるため、収納効率が悪く保管にも場所を取るという欠点がある。
【０００４】
また、プラスチックケースは、高温焼却により炉をいためる原因となり、更に有害ガスを発生しやすい等、廃棄上の問題点が多い。
【０００５】
さらに、従来のハードケースはケース自体に印刷を施すことが困難であるため、印刷シートをフロッピーディスクと一緒に収納するか、或いは外装用のシュリンクフィルムに印刷を施す方法を行っており、コストがかかっていた。
【０００６】
本発明は上記従来の欠点に鑑みなされたもので、収納効率の良い紙材で出来た安価なフロッピーディスクケースを提供することを目的とする。
【０００７】
【課題を解決するための手段】
上記目的を達成するため、本発明のフロッピーディスクケースは、実質的に紙材で形成され、方形状の台板の四方の各側縁に縁板を介して２枚の折込板および２枚の蓋板をそれぞれ対向して連設するとともに、前記各縁板の両端縁の２本の折曲げ罫線間にこれと交差するように縁板に剛性を付加する罫線を設け、前記２枚の蓋板を内側へ折り曲げたときに互いに係合可能な係止手段を設けてなり、前記２枚の折込板および２枚の蓋板をそれぞれ内側へ折り曲げて蓋板同志を係合し、中にフロッピーディスクを収納可能とするものである。
【０００８】
【０００９】
【００１０】
またさらに、前記台板の各コーナーにおいて相対する両縁板の少なくとも一方の端部を突片状に形成したことを特徴とするものである。
【００１１】
さらにまた、一方の前記蓋板が台板より切り外し可能であることを特徴とするものである。
【００１２】
またさらに、前記台板に一方の前記蓋板の連設部分の折曲げ罫線と略平行な折曲げ罫線を設けるとともに該折曲げ罫線の両端部を台板のコーナーより破断可能に形成したことを特徴とするものである。
【００１３】
【作用】
本発明のフロッピーディスクケースは実質的に紙材で出来ており、安価で、軽量で、組立てが容易であり、しかも従来のプラスチック製ケースの半分以下の厚みとすることが出来るので、収納効率が良く、開封後も使い勝手の良い収納保存ケースとして使用することが出来る。
【００１４】
また、ケース自体に直接所望の印刷等を施すことが可能であり、しかも防塵性を高めた構造とすることが出来るので、従来の外装用シュリンクフィルム等が必要なくなり、簡易な包装による低コスト化が図れる。
【００１５】
さらに、廃棄の際にも一般の可燃ゴミとして扱えるので、廃棄上、環境上の問題がない。
【００１６】
【実施例】
以下、添付図面を参照して本発明の実施例を詳述する。
【００１７】
図１は本発明のフロッピーディスクケースの第１の実施例の構成を示す展開平面図である。
【００１８】
すなわち本実施例の構成は、方形状の台板１の上下両側縁にそれぞれ縁板２，３を介して折込板４，５が連設され、左右両側縁にはそれぞれ縁板６，７を介して外蓋板８、内蓋板９が連設されている。前記縁板２の両端縁の２本の折曲げ罫線１４，１５間にはこれと交差するように罫線２ａが設けられている。また、他の各縁板３，６，７にも同様な罫線３ａ，６ａ，７ａがそれぞれ設けられている。外蓋板８は台板１と略同じ大きさを有し、その右側縁側には上下に延びる２本の平行な破断線１０，１１を有し、該破断線１１の中央は切込みによって係止片１２を形成している。一方、内蓋板９には上記外蓋板８の係止片１２と係合可能な係止切込み１３を有する。なお、材質は実質的に紙材を使用するが、例えば紙材の表面に保護フィルムを貼り合せたようなものを使用することも出来る。
【００１９】
本実施例のフロッピーディスクケースの組み立て方は、図２及び図３に示す如く、まず上下両縁板２，３を折込板４，５とともに内側へ起立させるように直角に折り曲げ、次いで同じようにして左右両縁板６，７を外蓋板８、内蓋板９とともに直角に折り曲げ、続いて上記両折込板４，５を台板１と略平行になるように直角に折り曲げるとともに上記外蓋板８及び内蓋板９を同じように内側へ直角に折り曲げる。こうして重り合った外蓋板８と内蓋板９とを外蓋板８を外側にしてその先端部分を内蓋板９と貼り合せることにより図４に示すようなフロッピーディスクケースが出来上がる。該ケースの中には図示していないがフロッピーディスクが収納される。
【００２０】
該ケースの開封は図５に示すように外蓋板８に設けた２本の破断線１０，１１を介してその間の帯部Ｐを引き剥すことにより行われる。また、開封後は図６に示す如く外蓋板８の係止片１２を内蓋板９の係止切込み１３と係合することにより閉蓋することが出来る。
【００２１】
【００２２】
【００２３】
本発明では、前記縁板２，３，６，７の両端縁の２本の折曲げ罫線の間にこれと交差するように罫線２ａ，３ａ，６ａ，７ａがそれぞれ設けられていることによって各縁板２，３，６，７に剛性が付加され、各縁板２，３，６，７と折込板４，５、外蓋板８、内蓋板９との面の強さ（剛度）に差を持たせることが出来る。したがって、各縁板２，３，６，７の厚み方向の幅が薄くても（フロッピーディスクの１枚入れケースの場合は約４〜4.5ｍ／ｍ）、その両端縁の２本の折曲げ罫線１４，１５等をきれいに罫がでるように折り曲げることが出来るので、各縁板２，３，６，７の組み立て後の外観がたわまずシャープに組み立てられる（図７参照）。なお、各縁板２，３，６，７に設ける罫線２ａ，３ａ，６ａ，７ａの角度、本数等は任意に決定しうるものである。
【００２４】
【００２５】
図８は本発明のフロッピーディスクケースの第２の実施例の構成を示す展開平面図、図９は図８のＡ部の拡大平面図である。
【００２６】
本実施例の構成上の特徴は図示より明らかなように、左右両縁板６，７の上下両端を突片１６状に形成したことである。
【００２７】
これによって、図１０に示すように、組み立て後のケースの各コーナー部のすき間を突片１６により完全にふさぐことが出来るので、ケースの防塵性を高められる。
【００２８】
図１１は本発明のフロッピーディスクケースの第３の実施例の構成を示す展開平面図、図１２は図１１のＢ部の拡大平面図である。
【００２９】
本実施例は前記実施例同様、ケースの防塵性を高める構造としたもので、図示より明ら
かな如く、台板１の各コーナーにおいて相対する両縁板の端部同志を連結した折り込み可能な折込片１７を形成している。
【００３０】
該折込片１７は組み立て時に内方へ折り込まれ、組み立て後のケースの各コーナー部にすき間が生じないので、ケースの防塵性が高まる。
【００３１】
また、これらの防塵性を高める構造とする上記二つの実施例において、各縁板２，３，６，７に前述の交差する罫線を設けたり、或はベタでつぶすという構成をとれることは言うまでもない。
【００３２】
図１３は本発明のフロッピーディスクケースの第４の実施例の構成を示す展開平面図である。
【００３３】
本実施例の構成上の特徴は台板１の右側の縁板６と台板１との間の折曲げ罫線を破断線１８とし、外蓋板８を台板１よりも切り外し可能にしたことである。
【００３４】
このようにすると、図１４に示すように、開封後に外蓋板８を切り外して、フロッピーディスク１９のワンタッチの取り出し、収納ができるブックケース式の収納保存ケースとして使用することが出来る。
【００３５】
また、図１５は本発明のフロッピーディスクケースの第５の実施例の構成を示す展開平面図である。
【００３６】
本実施例の構成上の特徴は台板１の右側縁側に上下に延びる折曲げ罫線２０を設けるとともに該折曲げ罫線２０の上下両端から台板１の右側縁上下両端へそれぞれ延びる破断線２１，２２を設けたことである。
【００３７】
このような構成にすると、図１６に示す如く、開封後に上記破断線２１，２２を破断して、外蓋板８を台板１の折曲げ罫線２０を介して外側へ大きく開放できるので、外蓋板８が邪魔にならずにフロッピーディスク１９のワンタッチの取り出し、収納ができるだけでなく、使用後は再び外蓋板８を閉じられるようにした収納保存ケースとして使用することが出来る。
【００３８】
【発明の効果】
以上詳細に説明したように、本発明のフロッピーディスクケースによれば、実質的に紙材で出来ているため、安価で、軽量で、組立てが容易である。しかも従来のプラスチック製ケースの半分以下の厚みとすることが出来るので収納効率が良く、更にハードケースではないが、中身のフロッピーディスクを安全に保管できるだけの保形性を有するので、開封後も使い勝手の良い収納保存ケースとして使用することが出来る。更にまた、前記各縁板の両端縁の２本の折曲げ罫線間にこれと交差するように罫線を設けることにより、縁板に剛性が付加され、各縁板と折込板、外蓋板、内蓋板との面の強さ（剛度）に差を持たせることが出来、各縁板の厚み方向の幅が薄くてもその両端縁の２本の折曲げ罫線をきれいに罫がでるように折り曲げることが出来る、このため、各縁板の組み立て後の外観がたわまずシャープに組み立てらることが出来る。
【００３９】
また、ケース自体に直接所望の印刷等を施すことが可能であり、しかも防塵性を高めた構造とすることが出来るので、従来使用されていた外装用のシュリンクフィルム等が必要なくなり、簡易な包装により低コスト化を図ることが出来る。
【００４０】
また、開封後の収納保存ケースとして使用しやすいようにフラップ形状等のデザインが
自由に行える。
【００４１】
さらに、本発明のフロッピーディスクケースは、廃棄の際に一般の可燃ゴミとして扱えるので、廃棄上の問題がなく、環境への配慮もなされている。
【図面の簡単な説明】
【図１】  本発明のフロッピーディスクケースの第１の実施例の構成を示す展開平面図である。
【図２】  同実施例の組立て方を示す斜視図である。
【図３】  同実施例の組立て方を示す斜視図である。
【図４】  同実施例の組立てた状態の斜視図である。
【図５】  同実施例の開封の仕方を示す斜視図である。
【図６】  同実施例の開封後の状態の斜視図である。
【図７】  同実施例の組立てた状態を説明するための要部断面図である。
【図８】  本発明のフロッピーディスクケースの第２の実施例の構成を説明するための要部断面図である。
【図９】  図８のＡ部の拡大平面図である。
【図１０】  同実施例の組立てた状態の斜視図である。
【図１１】  本発明のフロッピーディスクケースの第３の実施例の構成を示す展開平面図である。
【図１２】  図１１のＢ部の拡大平面図である。
【図１３】  本発明のフロッピーディスクケースの第４の実施例の構成を示す展開平面図である。
【図１４】  同実施例の使用状態を説明するための斜視図である。
【図１５】  本発明のフロッピーディスクケースの第７の実施例の構成を示す展開平面図である。
【図１６】  同実施例の使用状態を説明するための斜視図である。
【符号の説明】
１      台板
２，３      縁板
２ａ，３ａ    罫線
４，５      折込板
６，７      縁板
６ａ，７ａ    罫線
８      外蓋板
９      内蓋板
１０，１１    破断線
１２    係止片
１３    係止切込み
１４，１５    折曲げ罫線
１６    突片
１７    折込片
１８    破断線
１９    フロッピーディスク
２０    折曲げ罫線
２１，２２    破断線
【図１】
0003739413.tif 000002
【図２】
0003739413.tif 000003
【図３】
0003739413.tif 000004
【図４】
0003739413.tif 000005
【図５】
0003739413.tif 000006
【図６】
0003739413.tif 000007
【図７】
0003739413.tif 000008
【図８】
0003739413.tif 000009
【図９】
0003739413.tif 000010
【図１０】
0003739413.tif 000011
【図１１】
0003739413.tif 000012
【図１２】
0003739413.tif 000013
【図１３】
0003739413.tif 000014
【図１４】
0003739413.tif 000015
【図１５】
0003739413.tif 000016
【図１６】
0003739413.tif 000017